(57)【要約】【課題】第１逆止弁と第２逆止弁とにより、吸着力を増加し、外部が負圧状態であっても、制御部材が外力により円盤部から離れる方向へ移動することはない吸盤を提供する。【解決手段】台座と、台座に移動可能に設けられている制御部材と、第１流路と、第２流路と、を備え、台座は、台部と、台部に弾性的に変形可能に設けられている円盤部と、を備え、円盤部はベース面に接触し、台座に第１空気室が設けられており、制御部材と台座との間に第２空気室が形成され、第１流路は第１空気室および第２空気室と連通し、制御部材に第２流路が設けられている吸盤部材と、第１流路に設けられており、第１流路を開け可能に閉鎖する第１逆止弁と、第２流路に設けられており、第２流路を開け可能に閉鎖する第２逆止弁と、とを備える。【選択図】図１
2020125773.tif 000002
【特許請求の範囲】
【請求項１】
台座と、前記台座に移動可能に設けられている制御部材と、第１流路と、第２流路と、を備え、前記台座は、台部と、前記台部に弾性的に変形可能に設けられている円盤部と、を備え、前記円盤部はベース面に接触し、前記台座に第１空気室が設けられており、前記制御部材と前記台座との間に第２空気室が形成され、前記第１流路は前記第１空気室および前記第２空気室と連通し、前記制御部材に前記第２流路が設けられている吸盤部材と、
前記第１流路に設けられており、前記第１流路を開け可能に閉鎖し、これにより、流体が、前記第１空気室から前記第２空気室に流すことが可能な第１逆止弁と、
前記第２流路に設けられており、前記第２流路を開け可能に閉鎖し、これにより、流体が、前記第２空気室から外部に流すことが可能な第２逆止弁と、を備えることを特徴とする、
吸盤。
【請求項２】
前記制御部材は、更に、環状プラグ部を備え、前記環状プラグ部は前記台部を押し付け、前記制御部材に環状溝が設けられており、前記環状プラグ部は前記環状溝内に設けられており、前記環状プラグ部は、前記環状溝と前記台部との間を押し付け、前記環状プラグ部に外環状面が設けられており、前記外環状面に外環状突起が少なくとも一つ設けられており、前記外環状突起は前記台部の裏壁を押し付けることを特徴とする、請求項１に記載の吸盤。
【請求項３】
前記制御部材は識別段と一体成形され、前記制御部材は移動することが可能であることにより、前記識別段は前記台座内と前記台座外との間に移動することが可能であり、前記識別段に色が付けられたことを特徴とする、請求項１に記載の吸盤。
【請求項４】
更に、キャップを備え、前記キャップは、前記制御部材に設けられており、前記第２逆止弁を遮蔽し、前記キャップと前記制御部材との間に少なくとも一つの排気流路が形成され、前記各排気流路は前記第２流路および外部と連通することを特徴とする、請求項１に記載の吸盤。
【請求項５】
前記制御部材は識別段と一体成形され、前記制御部材は移動することが可能であることにより、前記識別段は前記台座内と前記台座外との間に移動することが可能であり、前記識別段に色が付けられ、更に、キャップを備え、前記キャップは、前記制御部材に設けられており、前記第２逆止弁を遮蔽し、前記キャップと前記制御部材との間に少なくとも一つの排気流路が形成され、前記各排気流路は前記第２流路および外部と連通し、前記キャップに第１結合構造が少なくとも一つ設けられており、前記制御部材には、前記第１結合構造と連結する第２結合構造が少なくとも一つ設けられており、前記第１結合構造は複数あり、前記第２結合構造は複数あり、前記各第１結合構造は前記第２結合構造のうちの一つと係止して結合し、前記台座は、更に、蓋部を備え、前記蓋部は前記台部を被り、前記蓋部に第１係止部が少なくとも一つ設けられており、前記台部には、前記第１係止部と係止する第２係止部が少なくとも一つ設けられており、前記蓋部に穿孔が設けられており、前記制御部材は前記穿孔を移動可能に挿通し、前記第１係止部は複数あり、前記第２係止部は複数あり、前記穿孔と前記制御部材とはセンターラインを中心とし、前記複数の第１係止部と前記複数の第２係止部とは、それぞれ前記センターラインを囲むように設けられ、前記各第１係止部と前記各第２係止部との少なくとも一方にガイド斜面が設けられており、前記ガイド斜面は、前記センターライン方向に対して傾斜し、前記台座には、更に、入気流路が設けられており、前記入気流路は前記第１空気室と外部とを連通し、前記円盤部には、更に、圧力リリーフ弁部が設けられており、前記圧力リリーフ弁部には、前記入気流路と連通する貫通孔が設けられており、前記貫通孔は、前記入気流路を開け可能に閉鎖し、前記排気流路は複数あり、前記制御部材に前記排気流路が複数設けられており、前記各排気流路には、第１排気段と、前記第１排気段と直交する第２排気段とが設けられており、前記制御部材に色が付けられており、前記キャップは、前記制御部材の一部を被り、前記識別段は前記キャップから露呈し、前記制御部材と前記台部との間には、両方に弾性的に押し付ける弾性部材が設けられており、前記外環状突起は複数あり、前記環状プラグ部には、前記外環状面に対向する裏環状面が設けられており、前記環状溝に環状凸縁が複数設けられており、前記複数の環状凸縁は、径方向に沿って前記裏環状面に押し付け、前記第１逆止弁は前記第２逆止弁と同じ、前記第２逆止弁は、上段と、ネック段と、底段と、を備え、前記ネック段は前記第２流路を挿通し、前記上段は前記第２流路の第１ポートに押し付けて閉鎖し、前記底段は前記第２流路の前記第１ポートから遠く離れた第２ポートに押し付けて閉鎖し、前記底段は十字形を呈し、前記底段には、互いに直交するシール片が複数設けられており、前記吸盤は、更に、フックが設けられており、前記台座と前記フックとは、そのうちの一方に第１係止構造が設けられており、他方に第２係止構造が設けられており、前記第１係止構造は、係止穴と、前記係止穴を構成するタブと、を備え、前記係止穴は、互いに反対する両側へ開放し、前記第２係止構造に係合溝が設けられており、前記第２係止構造の形状は、ほぼ前記係止穴の形状に対応し、前記第２係止構造は、前記係止穴を挿通して前記係合溝で前記タブと係合することを特徴とする、請求項２に記載の吸盤。
【発明の詳細な説明】
【技術分野】
【０００１】
本発明は、吸盤に関するものである。
【背景技術】
【０００２】
台湾発明Ｉ６０４１３４号の吸盤装置を参照する。このような吸盤装置は、吸盤部材と、前記吸盤部材に取り付けられている逆止弁と、前記吸盤部材と連接する外マスクユニットと、前記外マスクユニットに取り付けられている手動排気弁と、を備える。前記吸盤部材は、凸台と、蓄気室と、を備える。前記逆止弁は前記凸座の弁孔に取り付けられている。これにより、空気は前記蓄気室から前記凸座の外部にリリースすることが可能である。前記外マスクユニットは、前記蓄気室と連通する蓄気空間と、蓄気空間と外部を連通する排気流路と、備える。前記手動排気弁により、前記排気流路は閉じ状態から開け状態に変換することが可能である。また、前記手動排気弁のフローティング部材に識別段が設けられており、前記フローティング部材に気密リングが嵌められている。前記気密リングは、前記フローティング部材に対して変位することが可能であり、又は変形することが可能である。前記フローティング部材を操作して前記気密リングが排気流路から離脱し、又は排気流路に押し付けて閉鎖することにより、前記識別段は、負圧状態で吸盤部材内に位置し、負圧が減少するときに、吸盤部材から徐々に露呈することにより、ユーザーは真空の度合を識別することが可能である。前記吸盤装置は、更に、前記フローティング部材と前記外マスクユニットとの間に設けられており、両者を弾性的に押し付けるバネを備える。
【０００３】
しかし、従来の気密リングは、変形しないと排気することができないため、厚すぎ又は硬すぎてはいけない一方、バネの押さえ力を受けることが必要である。このため、例えば負圧が０．５３３バール（ｂａｒ）（相当の吸引力）であるときには、前記気密リングがバネによる押さえ力により移動する。すなわち、負圧が例えば０．５３３バール（ｂａｒ）である状態では、前記手動排気弁は、バネによる押さえ力により、上に設けられる識別段が露呈して、ユーザーの判断が間違いやすい。これにより、ユーザーは識別部によって負圧状態を有効に識別することができない。
【先行技術文献】
【特許文献】
【０００４】
【特許文献１】台湾発明Ｉ６０４１３４号公報
【発明の概要】
【発明が解決しようとする課題】
【０００５】
本発明の主な目的は、第１逆止弁と第２逆止弁とにより、吸着力を増加し、外部が負圧状態であっても、制御部材が外力により円盤部から離れる方向へ移動することがない吸盤を提供することにある。
【課題を解決するための手段】
【０００６】
本発明に係る吸盤は、台座と、台座に移動可能に設けられている制御部材と、第１流路と、第２流路と、を備え、台座は、台部と、台部に弾性的に変形可能に設けられている円盤部と、を備え、円盤部はベース面に接触し、台座に第１空気室が設けられており、制御部材と台座との間に第２空気室が形成され、第１流路は第１空気室および第２空気室と連通し、制御部材に第２流路が設けられている吸盤部材と、第１流路に設けられており、第１流路を開け可能に閉鎖し、これにより、流体が、第１空気室から第２空気室に流すことが可能な第１逆止弁と、第２流路に設けられており、第２流路を開け可能に閉鎖し、これにより、流体が、第２空気室から外部に流すことが可能な第２逆止弁と、を備えることを特徴とする。
【０００７】
本発明に係る吸盤は、制御部材は、更に、環状プラグ部を備え、環状プラグ部は台部に押し付け、制御部材に環状溝が設けられており、環状プラグ部は環状溝内に設けられており、環状プラグ部は、環状溝と台部との間に押し付け、環状プラグ部に外環状面が設けられており、外環状面に外環状突起が少なくとも一つ設けられており、外環状突起は台部の裏壁に押し付けることを特徴とする。
【０００８】
本発明に係る吸盤は、制御部材は識別段と一体成形され、制御部材は移動することが可能であることにより、識別段は台座内と台座外との間に移動することが可能であり、識別段に色が付けられたことを特徴とする。
【０００９】
本発明に係る吸盤は、更に、キャップを備え、キャップは、制御部材に設けられており、第２逆止弁を遮蔽し、キャップと制御部材との間に少なくとも一つの排気流路が形成され、各排気流路は第２流路および外部と連通することを特徴とする。
【００１０】
本発明に係る吸盤は、制御部材は識別段と一体成形され、制御部材は移動することが可能であることにより、識別段は台座内と台座外との間に移動することが可能であり、識別段に色が付けられ、更に、キャップを備え、キャップは、制御部材に設けられており、第２逆止弁を遮蔽し、キャップと制御部材との間に少なくとも一つの排気流路が形成され、各排気流路は第２流路および外部と連通し、キャップに第１結合構造が少なくとも一つ設けられており、制御部材には、第１結合構造と連結する第２結合構造が少なくとも一つ設けられており、第１結合構造は複数あり、第２結合構造は複数あり、各第１結合構造は第２結合構造のうちの一つと係止して結合し、台座は、更に、蓋部を備え、蓋部は台部を被り、蓋部に第１係止部が少なくとも一つ設けられており、台部には、第１係止部と係止する第２係止部が少なくとも一つ設けられており、蓋部に穿孔が設けられており、制御部材は穿孔を移動可能に挿通し、第１係止部は複数あり、第２係止部は複数あり、穿孔と制御部材とはセンターラインを中心とし、複数の第１係止部と複数の第２係止部とは、それぞれセンターラインを囲むように設けられ、各第１係止部と各第２係止部との少なくとも一方にガイド斜面が設けられており、ガイド斜面は、センターライン方向に対して傾斜し、台座には、更に、入気流路が設けられており、入気流路は第１空気室と外部とを連通し、円盤部には、更に、圧力リリーフ弁部が設けられており、圧力リリーフ弁部には、入気流路と連通する貫通孔が設けられており、貫通孔は、入気流路を開け可能に閉鎖し、排気流路は複数あり、制御部材に排気流路が複数設けられており、各排気流路には、第１排気段と、第１排気段と直交する第２排気段とが設けられており、制御部材に色が付けられており、キャップは、制御部材の一部を被り、識別段はキャップから露呈し、制御部材と台部との間には、両方に弾性的に押し付ける弾性部材が設けられており、外環状突起は複数あり、環状プラグ部には、外環状面に対向する裏環状面が設けられており、環状溝に環状凸縁が複数設けられており、複数の環状凸縁は、径方向に沿って裏環状面に押し付け、第１逆止弁は第２逆止弁と同じ、第２逆止弁は、上段と、ネック段と、底段と、を備え、ネック段は第２流路を挿通し、上段は第２流路の第１ポートに押し付けて閉鎖し、底段は第２流路の第１ポートから遠く離れた第２ポートに押し付けて閉鎖し、底段は十字形を呈し、底段には、互いに直交するシール片が複数設けられており、吸盤は、更に、フックが設けられており、台座とフックとは、そのうちの一方に第１係止構造が設けられており、他方に第２係止構造が設けられており、第１係止構造は、係止穴と、係止穴を構成するタブと、を備え、係止穴は、互いに反対する両側へ開放し、第２係止構造に係合溝が設けられており、第２係止構造の形状は、ほぼ係止穴の形状に対応し、第２係止構造は、係止穴を挿通して係合溝でタブと係合することを特徴とする。
【発明の効果】
【００１１】
本発明に係る吸盤は、第１逆止弁と第２逆止弁とにより、吸着力を増加し、外部が負圧状態であっても、制御部材が外力により円盤部から離れる方向へ移動することがないという効果を有する。
【図面の簡単な説明】
【００１２】
【図１】本発明の一実施形態に係る吸盤を示す斜視図である。
【図２】本発明の一実施形態に係る吸盤を示す分解斜視図である。内、（Ａ）は第２逆止弁を示す斜視図である。内、（Ｂ）はキャップを示す斜視図である。
【図３】本発明の一実施形態に係る吸盤を示す断面図である。
【図３Ａ】図３の一部を示す拡大図である。
【図４】本発明の一実施形態に係る吸盤の使用状態を示す図である。
【図５】本発明の一実施形態に係る吸盤の別の使用状態を示す図である。内、（Ａ）（Ｂ）はそれぞれ部分拡大図である。
【発明を実施するための形態】
【００１３】
以下、本発明の実施の形態を図面に基づいて説明する。
【００１４】
図１から図５を参照する。本発明の一実施形態に係る吸盤１は、吸盤部材１０と、第１逆止弁３０と、第２逆止弁４０と、を備える。
【００１５】
吸盤部材１０は、台座１１と、台座１１に移動可能に設けられている制御部材１２と、第１流路１５と、第２流路１６と、を備える。台座１１は、台部１１１と、台部１１１に弾性的に変形可能に設けられている円盤部１１２と、を備える。円盤部１１２はベース面２に接触する。台座１１に第１空気室１３が設けられている。制御部材１２と台座１１との間に第２空気室１４が形成される。第１流路１５は第１空気室１３および第２空気室１４と連通する。制御部材１２に第２流路１６が設けられている。
第１逆止弁３０は、第１流路１５に設けられており、第１流路１５を開け可能に閉鎖する。これにより、流体は第１空気室１３から第２空気室１４に流すことが可能である。第２逆止弁４０は、第２流路１６に設けられており、第２流路１６を開け可能に閉鎖する。これにより、流体は第２空気室１４から外部に流すことが可能である。第１逆止弁３０と第２逆止弁４０により、第１空気室１３と第２空気室１４とにある流体は、一方向だけに流して排出することが可能であり、吸着力を増加することが可能である。外部が負圧状態（例えば負圧が０．５３３バール（ｂａｒ））であっても、制御部材１２は、外力により円盤部１１２から離れる方向へ移動しにくい。
本実施形態では、制御部材１２と台部１１１との間には、両者を弾性的に押し付ける弾性部材５０が設けられている。弾性部材５０により、制御部材１２は弾性的な押さえ力を有する。詳細には、外部が負圧状態（例えば負圧が０．５３３バール（ｂａｒ））であっても、制御部材１２は、弾性部材５０の押さえ方向へ移動しにくい。前記流体は、気体または液体である。本実施形態では、円盤部１１２がシリコン製の吸盤であり、弾性的に変形することが可能である。
【００１６】
本実施形態では、第１逆止弁３０が第２逆止弁４０と同じであるが、第１逆止弁３０が第２逆止弁４０と異なってもよい。このため、第２逆止弁４０だけの詳細の特徴を説明し、第１逆止弁３０についての説明を省略する。第２逆止弁４０は、上段４１と、ネック段４２と、底段４３と、を備える。
ネック段４２は第２流路１６を挿通する。上段４１は、第２流路１６の第１ポート１６１に押し付けて閉鎖する。底段４３は、第２流路１６の第１ポート１６１から遠く離れた第２ポート１６２に押し付けて閉鎖する。底段４３は十字形を呈する。底段４３には、互いに直交するシール片４４が複数設けられている。これにより、変形しやすくなり、密封効果が良くなる。特に、第１逆止弁３０と第２逆止弁４０とは変形可能な材質を採用するため、底段４３は、変形して第２ポート１６２を閉鎖し、又は第２ポート１６２を開けることが可能である。これにより、流体は一方向に流入することが可能である。
【００１７】
制御部材１２は、更に、環状プラグ部２０を備える。環状プラグ部２０は台部１１１に押し付ける。制御部材１２に環状溝１７が設けられている。環状プラグ部２０は環状溝１７内に設けられている。環状プラグ部２０は環状溝１７と台部１１１との間に押し付けることにより、環状プラグ部２０が制御部材１２に対してスライドすることを防止することが可能である。これにより、制御部材１２と台部１１１との間の気密効果が良くなる。
本実施形態では、環状プラグ部２０は制御部材１２に脱着可能に嵌め設けられているリングである。前記リングは弾性的に変形可能な材質を採用する。もちろん、環状プラグ部は制御部材と一体成形されてもよい。詳細には、環状プラグ部２０に外環状面２１が設けられている。外環状面２１に外環状突起２２が少なくとも一つ設けられている。外環状突起２２は台部１１１の裏壁に押し付けることにより、制御部材１２は台部１１１の裏壁に緊迫して気密効果を得る。これにより、制御部材１２と台部１１１との間は気密状態を保持する。
本実施形態では、外環状突起２２が、複数あり、互いに離隔するように設けられる。これにより、移動および緊迫がスムーズとなり、気密効果は良くなる。環状プラグ部２０には、外環状面２１に対向する裏環状面２３が設けられている。環状溝１７に環状凸縁１７１が複数設けられている。環状凸縁１７１は、径方向に沿って裏環状面２３に押し付けることにより、外環状面２１の各外環状突起２２が台部１１１の裏壁に緊迫し、気密効果を向上することが可能である。
【００１８】
吸盤１は、更に、キャップ６０を備える。キャップ６０は、制御部材１２に設けられており、第２逆止弁４０を遮蔽して、第２逆止弁４０を保護する。これにより、第２逆止弁４０が外力を受けて第２流路１６から離脱することを防止することが可能である。
キャップ６０と制御部材１２との間に少なくとも一つの排気流路７０を形成することが好ましい。各排気流路７０は第２流路１６および外部と連通する。本実施形態では、排気流路７０が複数ある。制御部材１２に排気流路７０が複数設けられている。各排気流路７０には、第１排気段７１と、第１排気段７１に直交する第２排気段７２とが設けられている。これにより、流体の排出はスムーズとなる。詳細には、制御部材１２の軸方向の断面形状はほぼコ字形を呈する。制御部材１２には、上面１２１と、周面１２２とが設けられている。各排気流路７０には、更に、第２排気段７２と直交する第３排気段７３が設けられている。上面１２１に第１排気段７１が設けられている。周面１２２に第２排気段７２が設けられている。
制御部材１２とキャップ６０とから、第３排気段７３が構成される。これにより、流体の排出はスムーズとなる。もちろん、各排気流路の排気段の数量が限定されず、必要によって変更してもよい。
【００１９】
制御部材１２に識別段１２３が一体成形される。制御部材１２を移動すると、識別段１２３が台座１１内と前記台座１１外との間で移動する。識別段１２３が台座１１内または台座１１外に露呈することにより、真空の度合（真空の度合は、外部に対する負圧状態の度合を指し）を識別することが可能である。例えば識別段１２３が徐々に台座１１内から台座１１外に移動すると、これは真空の度合が弱くなることを表す。本実施形態では、識別段１２３に色が付けられる。具体的には、制御部材１２に色が付けられる。
キャップ６０は、制御部材１２の一部を被り、識別段１２３がキャップ６０から露呈する。識別段１２３は制御部材１２の一部に属する。制御部材１２と識別段１２３とは、一体成形されるときに色が付けられる。これにより、作製プロセスを簡単化することが可能であり、識別段１２３は制御部材１２から離脱することはない。本実施形態では、識別段１２３が環状突起であってもよい。もちろん、識別段は制御部材に付けられたマークでもよい。特に、外部に対して負圧状態であるときに、識別段１２３が台座１１外から露呈せず、これにより、外部に対する負圧状態の度合の判断の精確度を向上することが可能である。
【００２０】
一方、キャップ６０に第１結合構造６１が少なくとも一つ設けられている。制御部材１２には、第１結合構造６１と連結する第２結合構造１２４が少なくとも一つ設けられている。本実施形態では、第１結合構造６１が複数あり、第２結合構造１２４が複数あり、各第１結合構造６１が第２結合構造１２４のうちの一つと係止して結合することにより、両者が互いに結合する。もちろん、各第１結合構造と各第２結合構造とは、互いに螺着する構成でもよい。
【００２１】
台座１１には、更に、蓋部１１３を備える。蓋部１１３は台部１１１を被る。蓋部１１３に第１係止部１１４が少なくとも一つ設けられている。台部１１１には、第１係止部１１４と係合する第２係止部１１５が少なくとも一つ設けられている。蓋部１１３に穿孔１１６が設けられている。制御部材１２は穿孔１１６を移動可能に挿通することにより、蓋部１１３は台座１１から離脱しにくい。
本実施形態では、第１係止部１１４が複数あり、第２係止部１１５が複数あり、穿孔１１６と制御部材１２とがセンターラインＬ１を中心とし、複数の第１係止部１１４と複数の第２係止部１１５とは、それぞれセンターラインＬ１を囲むように設けられることにより、結合効果を向上することが可能である。一方、各第１係止部１１４と各第２係止部１１５とのうちの少なくとも一方にガイド斜面が設けられており、前記ガイド斜面はセンターラインＬ１に対して傾斜する。これにより、取付作業がスムーズとなる。
本実施形態では、各第１係止部１１４と各第２係止部１１５とに、ガイド斜面８０，  ８１がそれぞれ設けられており、各第１係止部１１４のガイド斜面８０は、蓋部１１３から台部１１１へ、径方向に沿って徐々にセンターラインＬ１から離れる。各第２係止部１１５のガイド斜面８１は、蓋部１１３から台部１１１へ、径方向に沿って徐々にセンターラインＬ１から離れる。
【００２２】
また、台座１１には、更に、入気流路９０が設けられている。入気流路９０は、第１空気室１３および外部と連通する。円盤部１１２には、更に、圧力リリーフ弁部９１が設けられている。圧力リリーフ弁部９１には、入気流路９０と連通する貫通孔９２が設けられている。貫通孔９２は、入気流路９０を開け可能に閉鎖する。詳細には、圧力リリーフ弁部９１には、更に、ベース部９３と、楕円形押さえリング９４と、径方向に沿って伸びる複数のリブ部９５と、を備える。各リブ部９５は、楕円形押さえリング９４とベース部９３とを連接する。
ベース部９３に貫通孔９２が設けられている。これにより、楕円形押さえリング９４の両側を押圧すると、ベース部９３が変形して貫通孔９２を開けて、圧力をリリースする効果を有し、そしてベース部９３が変形すぎることを防止することが可能である。もちろん、前記楕円形押さえリングは、円形、矩形、又は多辺形などでもよい。
【００２３】
一方、吸盤１は、更に、フック１９を備える。台座１１とフック１９とは、そのうちの一方に第１係止構造が設けられており、他方に第２係止構造が設けられている。
本実施形態では、台座１１に第１係止構造１８が設けられており、フック１９に第２係止構造１９１が設けられている。第１係止構造１８は、係止穴１８１と、係止穴１８１を構成するタブ１８２と、を備える。係止穴１８１は、互いに反対する両側へ開放する。第２係止構造１９１に係合溝１９２が設けられている。第２係止構造１９１の形状は、ほぼ係止穴１８１の形状に対応する。第２係止構造１９１は、係止穴１８１を挿通して、係合溝１９２でタブ１８２と係合することが可能である。詳細には、第２係止構造１９１が、片状を呈し、大径段１９３と、小径段１９４と、を備える。大径段１９３と小径段１９４とは、それぞれタブ１８２に押し付けることにより、結合力を増加することが可能である。
【００２４】
制御部材１２を押圧して台座１１に対して移動すると、第２空気室１４の気圧により、第２逆止弁４０が変形して第２流路１６を開けて、流体は第２空気室１４から排出されて気密状態になり、第１空気室１３の流体は、第２空気室１４との圧力差により流して第１逆止弁３０が変形して（本実施形態では、第１逆止弁３０を押さえ）、第２空気室１４に流し込んで、ひいては外部に対して負圧状態になる効果を得る。これにより、吸着効果を向上することが可能である。
【００２５】
本発明に係る吸盤によれば、第１逆止弁と第２逆止弁とにより、気密効果が向上され、そして制御部材は、外部に対して負圧状態になるときに（例えば負圧が０．５３３バール（ｂａｒ）のとき）、弾性部材による弾性的な押さえ力を受けても、識別段が露呈しないため、識別段により、ユーザーは真空の度合を有効に識別することが可能である。
【００２６】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００２７】
１  吸盤
２  ベース面
１０  吸盤部材
１１  台座
１２  制御部材
１３  第１空気室
１４  第２空気室
１５  第１流路
１６  第２流路
１７  環状溝
１８  第１係止構造
１９  フック
２０  環状プラグ部
２１  外環状面
２２  外環状突起
２３  裏環状面
３０  第１逆止弁
４０  第２逆止弁
４１  上段
４２  ネック段
４３  底段
４４  シール片
５０  弾性部材
６０  キャップ
６１  第１結合構造
７０  排気流路
７１  第１排気段
７２  第２排気段
７３  第３排気段
８０、８１  ガイド斜面
９０  入気流路
９１  圧力リリーフ弁部
９２  貫通孔
９３  ベース部
９４  楕円形押さえリング
９５  リブ部
１１１  台部
１１２  円盤部
１１３  蓋部
１１４  第１係止部
１１５  第２係止部
１１６  穿孔
１２１  上面
１２２  周面
１２３  識別段
１２４  第２結合構造
１６１  第１ポート
１６２  第２ポート
１７１  環状凸縁
１８１  係止穴
１８２  タブ
１９１  第２係止構造
１９２  係合溝
１９３  大径段
１９４  小径段
Ｌ１  センターライン
【図１】
2020125773.tif 000003
【図２】
2020125773.tif 000004
【図３】
2020125773.tif 000005
【図３Ａ】
2020125773.tif 000006
【図４】
2020125773.tif 000007
【図５】
2020125773.tif 000008